(57)【要約】【課題】サブハウジングを、カム機構を使用せずに、相手側ハウジングに対して移動させることができるコネクタ装置を提供すること。【解決手段】コネクタ１００は、ハウジング１１０と、ハウジング１１０に対して相対的に移動可能なサブハウジング３００と、サブハウジング３００に保持された検知端子３９０とを備えている。相手側コネクタ４００は、相手側ハウジング４１０と、相手側ハウジング４１０に保持された相手側検知端子７００とを備えている。サブハウジング３００は、被ガイド部３２０を有しており、相手側ハウジング４１０は、ガイド部４５０を有している。ハウジング１１０を回転移動させると、ガイド部４５０は、被ガイド部３２０をガイドしてサブハウジング３００をハウジング１１０に対して相対的に移動させる。この結果、検知端子３９０は、上下方向に沿って下方に移動して相手側検知端子７００に接続される。【選択図】図１３
2019036485.tif 000002
【特許請求の範囲】
【請求項１】
互いに嵌合可能なコネクタ及び相手側コネクタを備えるコネクタ装置であって、
前記コネクタは、ハウジングと、電源端子と、サブハウジングと、検知端子とを備えており、
前記電源端子は、前記ハウジングに保持されており、
前記検知端子は、前記サブハウジングに保持されており、
前記サブハウジングは、前記ハウジングに対して相対的に移動可能となるようにして、前記ハウジングに支持されており、
前記相手側コネクタは、相手側ハウジングと、相手側電源端子と、相手側検知端子とを備えており、
前記相手側電源端子及び前記相手側検知端子は、前記相手側ハウジングに保持されており、
前記ハウジングには、軸部が形成されており、
前記相手側ハウジングには、相手側軸部が形成されており、
前記軸部及び前記相手側軸部の一方は回転軸であり、他方は軸受であり、
前記回転軸は、軸方向に延びており、
前記軸部と前記相手側軸部とを組み合わせると、前記ハウジングは前記相手側ハウジングに対して前記回転軸の周りに回転可能であり、
前記ハウジングを前記相手側ハウジングに対して回転させると、前記コネクタは、非接続状態と接続状態との間を、中間状態を経由して遷移し、
前記コネクタが前記非接続状態にあるとき、前記電源端子は、前記相手側電源端子に接続されておらず、且つ、前記検知端子は、前記相手側検知端子に接続されておらず、
前記コネクタが前記中間状態にあるとき、前記電源端子は、前記相手側電源端子に接続されている一方、前記検知端子は前記相手側検知端子に接続されておらず、
前記コネクタが前記接続状態にあるとき、前記電源端子は、前記相手側電源端子に接続されており、且つ、前記検知端子は前記相手側検知端子に接続されており、
前記サブハウジングは、被ガイド部を有しており、
前記相手側ハウジングは、ガイド部を有しており、
前記コネクタが前記中間状態から前記接続状態に遷移する際、前記ガイド部は、前記被ガイド部をガイドして前記サブハウジングを前記ハウジングに対して相対的に移動させ、これにより、前記検知端子は、前記軸方向と直交する上下方向に沿って下方に移動して前記相手側検知端子に接続される
コネクタ装置。
【請求項２】
請求項１記載のコネクタ装置であって、
前記検知端子は、ピン端子であり、
前記相手側検知端子は、ソケット端子である
コネクタ装置。
【請求項３】
請求項２記載のコネクタ装置であって、
前記相手側ハウジングには、前記上下方向において前記相手側検知端子を覆うカバー部が設けられており、
前記カバー部には、開口部が形成されており、
前記コネクタが前記接続状態にあるとき、前記検知端子は、前記開口部を前記上下方向に沿って通過して前記相手側検知端子に接続されており、
前記コネクタが前記中間状態から前記接続状態に遷移する際に前記ガイド部が前記被ガイド部をガイドすると、前記検知端子の先端は、前記カバー部に達する前に、前記上下方向において前記開口部と対向する
コネクタ装置。
【請求項４】
請求項１から請求項３までのいずれかに記載のコネクタ装置であって、
前記サブハウジングは、前記軸方向と直交する直交平面に沿って揺動可能であり、
前記ハウジングは、第１移動規制部と、第２移動規制部とを有しており、
前記第１移動規制部は、前記直交平面と平行な第１方向における前記サブハウジングの移動を規制し、
前記第２移動規制部は、前記直交平面と平行な第２方向であって前記第１方向と異なる第２方向における前記サブハウジングの移動を規制する
コネクタ装置。
【請求項５】
請求項４記載のコネクタ装置であって、
前記サブハウジングには、サブ回転軸が形成されており、
前記サブ回転軸は、前記軸方向と平行に延びており、
前記ハウジングには、サブ軸受が形成されており、
前記サブ軸受は、前記サブ回転軸を受容している
コネクタ装置。
【請求項６】
請求項５記載のコネクタ装置であって、
前記サブ軸受は、前記回転軸を中心とする径方向において長く延びる長孔形状を有している
コネクタ装置。
【請求項７】
請求項５又は請求項６記載のコネクタ装置であって、
前記サブハウジングは、前記ハウジングに対して前記サブ回転軸の周りに両方向に回転可能であり、
前記第１方向は、前記サブハウジングの回転方向のうちの一方であり、
前記第２方向は、前記サブハウジングの前記回転方向のうちの他方である
コネクタ装置。
【請求項８】
請求項１から請求項７までのいずれかに記載のコネクタ装置であって、
前記相手側ハウジングの前記ガイド部は、前記上下方向と斜交する傾斜面を有しており、
前記コネクタが前記接続状態に遷移する際、前記被ガイド部は、前記傾斜面に接触する
コネクタ装置。
【請求項９】
請求項１から請求項８までのいずれかに記載のコネクタ装置であって、
前記相手側ハウジングの前記ガイド部は、第１規制部と、第２規制部とを有しており、
前記第１規制部及び前記第２規制部の夫々は、前記軸方向及び前記上下方向の双方と直交する前後方向において、前記相手側軸部の後方に位置しており、
前記コネクタが前記中間状態から前記接続状態に遷移する際、前記第１規制部は、前記サブハウジングの後方に向かう移動を規制し、前記第２規制部は、前記サブハウジングの前方に向かう移動を規制する
コネクタ装置。
【請求項１０】
請求項９記載のコネクタ装置であって、
前記相手側ハウジングは、前記第１規制部として機能する第１壁面を有しており、
前記第１壁面は、前記相手側検知端子の前方に位置している
コネクタ装置。
【請求項１１】
請求項１０記載のコネクタ装置であって、
前記サブハウジングは、前記被ガイド部として機能する前板部を有しており、
前記前板部は、前記ハウジングにおいて、前記検知端子よりも前記軸部に近い位置にあり、
前記コネクタが前記接続状態に遷移する際、前記前板部の先端が前記ガイド部に接触する
コネクタ装置。
【請求項１２】
請求項１１記載のコネクタ装置であって、
前記相手側ハウジングは、前記第２規制部として機能する対向壁面を有しており、
前記第１壁面と前記対向壁面とは、前記前後方向に対向しており、
前記コネクタが前記中間状態から前記接続状態に遷移する際、前記サブハウジングの前記前板部は、前記第１壁面と前記対向壁面との間にガイドされる
コネクタ装置。
【請求項１３】
請求項１１又は請求項１２記載のコネクタ装置であって、
前記相手側ハウジングは、前記第２規制部として機能する第２壁面を有しており、
前記第２壁面は、前記相手側検知端子の後方に位置しており、
前記サブハウジングは、後板部を有しており、
前記後板部は、前記ハウジングにおいて、前記検知端子よりも前記軸部から離れた位置にあり、
前記コネクタが前記接続状態に遷移する際、前記第２壁面は、前記後板部の前方に向かう移動を規制する
コネクタ装置。
【請求項１４】
請求項１３記載のコネクタ装置であって、
前記サブハウジングは、角筒状部を有しており、
前記角筒状部は、前記コネクタが前記接続状態まで遷移する際の前記ハウジングの回転方向において、前記相手側検知端子に向かって開口しており
前記前板部及び前記後板部の夫々は、前記角筒状部の一部である
コネクタ装置。
【発明の詳細な説明】
【技術分野】
【０００１】
本発明は、例えば電気自動車やハイブリッドカーに取り付けられて、電源システムから供給される電力を中継するコネクタ装置に関する。
【背景技術】
【０００２】
このタイプのコネクタ装置は、例えば、特許文献１に開示されている。
【０００３】
図２１に示されるように、特許文献１に開示されたコネクタ装置９０は、第１コネクタ（コネクタ）９１０と、第２コネクタ（相手側コネクタ）９５０とを備えている。コネクタ９１０は、電源端子（図示せず）を保持する第１ハウジング（ハウジング）９２０と、検知端子（図示せず）を保持する第１検知ハウジング（サブハウジング）９３０と、操作部材９４０とを備えている。相手側コネクタ９５０は、第２ハウジング（相手側ハウジング）９６０を備えている。相手側ハウジング９６０は、電源線９８２に接続された相手側電源端子（図示せず）と、検知信号線９８４に接続された相手側検知端子（図示せず）とを保持している。
【０００４】
操作部材９４０には、第１カム溝９４２と、第２カム溝９４４と、ガイド溝９４８とが形成されている。ハウジング９２０は、ガイド突起９２８を有しており、サブハウジング９３０は、第２カム突起９３４を有している。相手側ハウジング９６０は、第１カム突起（図示せず）を有している。
【０００５】
図２１に示した状態において、相手側ハウジング９６０の第１カム突起（図示せず）は、操作部材９４０の第１カム溝９４２に受容されており、ハウジング９２０のガイド突起９２８は、操作部材９４０のガイド溝９４８に受容されている。この状態で操作部材９４０を下方に向けて倒すと、ハウジング９２０は下方に移動し、コネクタ９１０の電源端子（図示せず）は、相手側コネクタ９５０の相手側電源端子（図示せず）と接続する。このとき、サブハウジング９３０の第２カム突起９３４は、操作部材９４０の第２カム溝９４４に受容される。この状態で操作部材９４０を左方にスライドさせると、サブハウジング９３０は下方に移動し、コネクタ９１０の検知端子（図示せず）は、相手側コネクタ９５０の相手側検知端子（図示せず）と接続する。このとき、コネクタ装置９０は、電源システム（図示せず）から供給される電力を中継する。
【先行技術文献】
【特許文献】
【０００６】
【特許文献１】特開２０１４−２３８９２９号公報
【発明の概要】
【発明が解決しようとする課題】
【０００７】
特許文献１によれば、サブハウジングを相手側ハウジングに対して移動させるために、第２カム溝と第２カム突起とからなるカム機構が必要である。このようなカム機構は、コネクタの構造を複雑にする。また、操作部材には、第２カム溝を形成するための部位を設ける必要があり、相手側ハウジングには、サブハウジングが移動するための空間を設ける必要がある。このため、コネクタ及び相手側コネクタが大型化するおそれがある。
【０００８】
そこで、本発明は、サブハウジングを、カム機構を使用せずに、相手側ハウジングに対して移動させることができるコネクタ装置を提供することを目的とする。
【課題を解決するための手段】
【０００９】
本発明は、第１のコネクタ装置として、
互いに嵌合可能なコネクタ及び相手側コネクタを備えるコネクタ装置であって、
前記コネクタは、ハウジングと、電源端子と、サブハウジングと、検知端子とを備えており、
前記電源端子は、前記ハウジングに保持されており、
前記検知端子は、前記サブハウジングに保持されており、
前記サブハウジングは、前記ハウジングに対して相対的に移動可能となるようにして、前記ハウジングに支持されており、
前記相手側コネクタは、相手側ハウジングと、相手側電源端子と、相手側検知端子とを備えており、
前記相手側電源端子及び前記相手側検知端子は、前記相手側ハウジングに保持されており、
前記ハウジングには、軸部が形成されており、
前記相手側ハウジングには、相手側軸部が形成されており、
前記軸部及び前記相手側軸部の一方は回転軸であり、他方は軸受であり、
前記回転軸は、軸方向に延びており、
前記軸部と前記相手側軸部とを組み合わせると、前記ハウジングは前記相手側ハウジングに対して前記回転軸の周りに回転可能であり、
前記ハウジングを前記相手側ハウジングに対して回転させると、前記コネクタは、非接続状態と接続状態との間を、中間状態を経由して遷移し、
前記コネクタが前記非接続状態にあるとき、前記電源端子は、前記相手側電源端子に接続されておらず、且つ、前記検知端子は、前記相手側検知端子に接続されておらず、
前記コネクタが前記中間状態にあるとき、前記電源端子は、前記相手側電源端子に接続されている一方、前記検知端子は前記相手側検知端子に接続されておらず、
前記コネクタが前記接続状態にあるとき、前記電源端子は、前記相手側電源端子に接続されており、且つ、前記検知端子は前記相手側検知端子に接続されており、
前記サブハウジングは、被ガイド部を有しており、
前記相手側ハウジングは、ガイド部を有しており、
前記コネクタが前記中間状態から前記接続状態に遷移する際、前記ガイド部は、前記被ガイド部をガイドして前記サブハウジングを前記ハウジングに対して相対的に移動させ、これにより、前記検知端子は、前記軸方向と直交する上下方向に沿って下方に移動して前記相手側検知端子に接続される
コネクタ装置を提供する。
【００１０】
また、本発明は、第２のコネクタ装置として、第１のコネクタ装置であって、
前記検知端子は、ピン端子であり、
前記相手側検知端子は、ソケット端子である
コネクタ装置を提供する。
【００１１】
また、本発明は、第３のコネクタ装置として、第２のコネクタ装置であって、
前記相手側ハウジングには、前記上下方向において前記相手側検知端子を覆うカバー部が設けられており、
前記カバー部には、開口部が形成されており、
前記コネクタが前記接続状態にあるとき、前記検知端子は、前記開口部を前記上下方向に沿って通過して前記相手側検知端子に接続されており、
前記コネクタが前記中間状態から前記接続状態に遷移する際に前記ガイド部が前記被ガイド部をガイドすると、前記検知端子の先端は、前記カバー部に達する前に、前記上下方向において前記開口部と対向する
コネクタ装置を提供する。
【００１２】
また、本発明は、第４のコネクタ装置として、第１から第３までのいずれかのコネクタ装置であって、
前記サブハウジングは、前記軸方向と直交する直交平面に沿って揺動可能であり、
前記ハウジングは、第１移動規制部と、第２移動規制部とを有しており、
前記第１移動規制部は、前記直交平面と平行な第１方向における前記サブハウジングの移動を規制し、
前記第２移動規制部は、前記直交平面と平行な第２方向であって前記第１方向と異なる第２方向における前記サブハウジングの移動を規制する
コネクタ装置を提供する。
【００１３】
また、本発明は、第５のコネクタ装置として、第４のコネクタ装置であって、
前記サブハウジングには、サブ回転軸が形成されており、
前記サブ回転軸は、前記軸方向と平行に延びており、
前記ハウジングには、サブ軸受が形成されており、
前記サブ軸受は、前記サブ回転軸を受容している
コネクタ装置を提供する。
【００１４】
また、本発明は、第６のコネクタ装置として、第５のコネクタ装置であって、
前記サブ軸受は、前記回転軸を中心とする径方向において長く延びる長孔形状を有している
コネクタ装置を提供する。
【００１５】
また、本発明は、第７のコネクタ装置として、第５又は第６のコネクタ装置であって、
前記サブハウジングは、前記ハウジングに対して前記サブ回転軸の周りに両方向に回転可能であり、
前記第１方向は、前記サブハウジングの回転方向のうちの一方であり、
前記第２方向は、前記サブハウジングの前記回転方向のうちの他方である
コネクタ装置を提供する。
【００１６】
また、本発明は、第８のコネクタ装置として、第１から第７までのいずれかのコネクタ装置であって、
前記相手側ハウジングの前記ガイド部は、前記上下方向と斜交する傾斜面を有しており、
前記コネクタが前記接続状態に遷移する際、前記被ガイド部は、前記傾斜面に接触する
コネクタ装置を提供する。
【００１７】
また、本発明は、第９のコネクタ装置として、第１から第８までのいずれかのコネクタ装置であって、
前記相手側ハウジングの前記ガイド部は、第１規制部と、第２規制部とを有しており、
前記第１規制部及び前記第２規制部の夫々は、前記軸方向及び前記上下方向の双方と直交する前後方向において、前記相手側軸部の後方に位置しており、
前記コネクタが前記中間状態から前記接続状態に遷移する際、前記第１規制部は、前記サブハウジングの後方に向かう移動を規制し、前記第２規制部は、前記サブハウジングの前方に向かう移動を規制する
コネクタ装置を提供する。
【００１８】
また、本発明は、第１０のコネクタ装置として、第９のコネクタ装置であって、
前記相手側ハウジングは、前記第１規制部として機能する第１壁面を有しており、
前記第１壁面は、前記相手側検知端子の前方に位置している
コネクタ装置を提供する。
【００１９】
また、本発明は、第１１のコネクタ装置として、第１０のコネクタ装置であって、
前記サブハウジングは、前記被ガイド部として機能する前板部を有しており、
前記前板部は、前記ハウジングにおいて、前記検知端子よりも前記軸部に近い位置にあり、
前記コネクタが前記接続状態に遷移する際、前記前板部の先端が前記ガイド部に接触する
コネクタ装置を提供する。
【００２０】
また、本発明は、第１２のコネクタ装置として、第１１のコネクタ装置であって、
前記相手側ハウジングは、前記第２規制部として機能する対向壁面を有しており、
前記第１壁面と前記対向壁面とは、前記前後方向に対向しており、
前記コネクタが前記中間状態から前記接続状態に遷移する際、前記サブハウジングの前記前板部は、前記第１壁面と前記対向壁面との間にガイドされる
コネクタ装置を提供する。
【００２１】
また、本発明は、第１３のコネクタ装置として、第１１又は第１２のコネクタ装置であって、
前記相手側ハウジングは、前記第２規制部として機能する第２壁面を有しており、
前記第２壁面は、前記相手側検知端子の後方に位置しており、
前記サブハウジングは、後板部を有しており、
前記後板部は、前記ハウジングにおいて、前記検知端子よりも前記軸部から離れた位置にあり、
前記コネクタが前記接続状態に遷移する際、前記第２壁面は、前記後板部の前方に向かう移動を規制する
コネクタ装置を提供する。
【００２２】
また、本発明は、第１４のコネクタ装置として、第１３のコネクタ装置であって、
前記サブハウジングは、角筒状部を有しており、
前記角筒状部は、前記コネクタが前記接続状態まで遷移する際の前記ハウジングの回転方向において、前記相手側検知端子に向かって開口しており
前記前板部及び前記後板部の夫々は、前記角筒状部の一部である
コネクタ装置を提供する。
【発明の効果】
【００２３】
本発明によれば、検知端子を保持するサブハウジングは、回転移動するハウジングに対して相対的に移動可能である。特に、ハウジングの回転移動によってコネクタが中間状態から接続状態に遷移する際、ガイド部は、被ガイド部をガイドしてサブハウジングをハウジングに対して相対的に移動させる。この結果、検知端子は、上下方向に沿って下方に移動して相手側検知端子に接続される。本発明によれば、サブハウジングを、カム機構を使用せずに、相手側ハウジングに対して移動させることができる。
【図面の簡単な説明】
【００２４】
【図１】本発明の実施の形態によるコネクタ装置のコネクタ及び相手側コネクタを示す斜視図である。コネクタは相手側コネクタから離れている。相手側コネクタは、バスバーに接続されている。
【図２】図１のコネクタを示す分解斜視図である。
【図３】図２のコネクタのサブハウジングを示す側面図である。
【図４】図３のサブハウジングを示す底面図である。
【図５】図１の相手側コネクタを示す分解斜視図である。相手側検知端子は、信号線に接続されており、且つ、相手側サブハウジングに保持されている。
【図６】図５の相手側コネクタの相手側検知端子を示す側面図である。相手側検知端子は、信号線に接続されている。相手側検知端子の一部（破線で囲んだ部分）を拡大して描画している。
【図７】図１のコネクタ装置を示す側面図である。コネクタは非接続状態にある。軸部、ガイド凹部、相手側軸部および被ガイド突起の隠れた輪郭を破線で描画している。
【図８】図７のコネクタ装置を示す上面図である。
【図９】図８のコネクタ装置の相手側コネクタの一部（破線Ａで囲んだ部分）を拡大して示す上面図である。
【図１０】図８のコネクタ装置をＢ−Ｂ線に沿って示す断面図である。コネクタの一部（破線で囲んだ部分）を拡大して描画している。
【図１１】図７のコネクタ装置を示す別の側面図である。コネクタは中間状態にある。相手側軸部、ガイド凹部および被ガイド突起の隠れた輪郭を破線で描画している。
【図１２】図１１のコネクタ装置を示す上面図である。
【図１３】図１２のコネクタ装置をＣ−Ｃ線に沿って示す断面図である。コネクタ装置の一部（破線で囲んだ部分）を拡大して描画している。拡大図において、相手側サブハウジングの隠れた開口部及び相手側検知端子の輪郭と、検知端子の先端が開口部の状態に達したときの検知端子の輪郭とを破線で描画している。
【図１４】図１２のコネクタ装置をＤ−Ｄ線に沿って示す断面図である。コネクタの一部（破線で囲んだ部分）を拡大して描画している。
【図１５】図７のコネクタ装置を示す別の側面図である。コネクタは接続状態にある。
【図１６】図１５のコネクタ装置を示す上面図である。
【図１７】図１６のコネクタ装置をＥ−Ｅ線に沿って示す断面図である。
【図１８】図１６のコネクタ装置をＦ−Ｆ線に沿って示す断面図である。
【図１９】図１８のコネクタ装置のうちのサブハウジングの一部と相手側サブハウジングとを示す断面図である。
【図２０】図１３のコネクタ装置の被ガイド部がガイド部と突き当たった状態におけるガイド部、被ガイド部、移動規制部及び移動被規制部の間の位置関係を示す図である。サブ回転軸及びサブ軸受の位置を破線で描画している。
【図２１】特許文献１のコネクタ装置を示す側面図である。
【発明を実施するための形態】
【００２５】
図１に示されるように、本発明の実施の形態によるコネクタ装置１０は、コネクタ１００と、相手側コネクタ４００とを備えている。図１５を参照すると、コネクタ１００と相手側コネクタ４００とは、互いに嵌合可能である。相手側コネクタ４００は、電気自動車のような対象物（図示せず）に取り付けられ、電源システム（図示せず）とモーター（図示せず）とに接続されている。
【００２６】
以下、まず相手側コネクタ４００の構造を説明し、次にコネクタ１００の構造を説明する。
【００２７】
図５及び図１８を参照すると、相手側コネクタ４００は、絶縁体からなる相手側ハウジング４１０と、金属製の２つの相手側電源端子５００と、絶縁体からなる相手側サブハウジング６００と、金属製の２つの相手側検知端子７００と、弾性体からなる４つのハトメ８１０と、金属製の２つのナット８２０とを備えている。
【００２８】
図５に示されるように、相手側ハウジング４１０は、２つの側壁部４１２と、後端部４１６と、保持部４１８と、フランジ４９０とを有している。側壁部４１２は、相手側ハウジング４１０の横方向（Ｙ方向）における両側に夫々位置している。側壁部４１２の夫々は、第１直交平面（直交平面：ＸＺ平面）に沿って延びている。後端部４１６は、相手側ハウジング４１０の前後方向（Ｘ方向）における後端（＋Ｘ側の端）に位置している。後端部４１６は、第２直交平面（ＹＺ平面）に沿って延びている。保持部４１８は、Ｘ方向及びＹ方向の夫々において、相手側ハウジング４１０の中間部に位置している。フランジ４９０は、相手側ハウジング４１０の上下方向（Ｚ方向）における下端（−Ｚ側の端）に位置している。図１を参照すると、フランジ４９０には、ハトメ８１０が取り付けられている。
【００２９】
図５を参照すると、相手側ハウジング４１０には、２つの相手側軸部（回転軸）４２０と、２つの被ガイド突起４３０とが形成されている。相手側軸部４２０は、２つの側壁部４１２に夫々対応して設けられており、Ｘ方向及びＺ方向において、互いに同じ位置にある。相手側軸部４２０の夫々は、Ｙ方向と平行な軸方向に延びる回転軸である。相手側軸部４２０の夫々は、対応する側壁部４１２の前端（−Ｘ側の端）近傍に位置しており、Ｙ方向内側に向かって保持部４１８まで延びている。被ガイド突起４３０は、２つの側壁部４１２に夫々対応して設けられており、Ｘ方向及びＺ方向において、互いに同じ位置にある。被ガイド突起４３０の夫々は、Ｙ方向内側に突出した突起である。被ガイド突起４３０は、Ｘ方向において、相手側軸部（回転軸）４２０と後端部４１６との間に位置している。
【００３０】
相手側電源端子５００は、互いに同じ形状を有している。相手側電源端子５００の夫々は、本体部５１０と、接続部５９０とを有している。本体部５１０は、Ｚ方向に延びる筒形状を有している。接続部５９０は、本体部５１０の下端からＹ方向外側に延びている。本体部５１０には、４つの接点部５２０が設けられている。接点部５２０のうちの２つは、Ｙ方向において、接点部５２０のうちの他の２つと夫々対向している。接点部５２０の夫々は、バネ部によってＹ方向に移動可能に支持されている。
【００３１】
図１、図５及び図８を参照すると、相手側電源端子５００は、ＸＺ平面について鏡対称に配置されており、相手側ハウジング４１０の保持部４１８の内部に保持され固定されている。即ち、相手側電源端子５００の夫々は、相手側ハウジング４１０に保持されており、相手側ハウジング４１０に対して相対移動できない。図７を参照すると、相手側電源端子５００の接続部５９０の夫々は、ネジ８９８及びナット８２０を使用してバスバー８９２と接続されている。
【００３２】
図５に示されるように、相手側サブハウジング６００は、Ｚ方向に延びる四角柱形状を有している。図１９を参照すると、相手側サブハウジング６００の内部には、Ｙ方向に並ぶ２つの保持孔６１０が形成されている。保持孔６１０の夫々は、Ｚ方向に沿って延びており、下方（−Ｚ方向）に開口している。
【００３３】
図５及び図１９を参照すると、相手側サブハウジング６００は、周壁部６２０と、カバー部６３０とを有している。周壁部６２０は、水平面（ＸＹ平面）において保持孔６１０を囲んでいる。カバー部６３０は、相手側サブハウジング６００の上端（＋Ｚ側の端）に位置している。カバー部６３０には、２つの開口部６３２が形成されている。開口部６３２の夫々は、４つの斜面によって囲まれた空間であり、下方に向かって徐々に狭まっている。開口部６３２は、２つの保持孔６１０と夫々対応している。開口部６３２の夫々は、対応する保持孔６１０と、Ｚ方向において繋がっている。即ち、保持孔６１０の夫々は、対応する開口部６３２を経由して上方（＋Ｚ方向）に開口している。
【００３４】
図６及び図１９を参照すると、相手側検知端子７００は、互いに同じ形状を有している。相手側検知端子７００の夫々は、相手側接触部７１０を有している。相手側接触部７１０は、相手側検知端子７００の上端近傍に位置しており、バネ部によってＹ方向に移動可能に支持されている。相手側検知端子７００の夫々は、下端において信号線８９４と接続されている。図１９を参照すると、相手側検知端子７００は、Ｙ方向において同じ向きに配置されており、相手側サブハウジング６００の保持孔６１０の内部に保持され固定されている。即ち、相手側検知端子７００の夫々は、相手側サブハウジング６００に保持されており、相手側サブハウジング６００に対して相対移動できない。
【００３５】
図５を参照すると、相手側ハウジング４１０には、受容部４４０が形成されている。受容部４４０は、保持部４１８の後方に位置する空間である。図１８を参照すると、相手側サブハウジング６００は、受容部４４０に受容されており、相手側ハウジング４１０によって移動不能に保持されている。従って、相手側検知端子７００の夫々は、相手側サブハウジング６００を介して、相手側ハウジング４１０に保持されており、相手側ハウジング４１０に対して相対移動できない。
【００３６】
本実施の形態において、相手側検知端子７００を保持する相手側サブハウジング６００は、相手側ハウジング４１０と別体の部材である。但し、本発明は、これに限られず、相手側サブハウジング６００は、相手側ハウジング４１０と一体の部材であってもよい。より具体的には、相手側ハウジング４１０の一部を、相手側サブハウジング６００と同様な形状に形成して、相手側検知端子７００を直接的に保持してもよい。
【００３７】
図９及び図１９を参照すると、相手側サブハウジング６００のカバー部６３０は、Ｚ方向において上方から相手側検知端子７００を覆っている。但し、相手側検知端子７００の相手側接触部７１０は、カバー部６３０の開口部６３２を通して上方から視認可能である。本実施の形態において、カバー部６３０は、相手側サブハウジング６００の一部である。但し、本発明は、これに限られない。例えば、カバー部６３０は、相手側ハウジング４１０の一部であってもよい。即ち、相手側ハウジング４１０には、Ｚ方向において上方から相手側検知端子７００を覆うカバー部６３０が設けられていればよい。
【００３８】
図９、図１０及び図１８を参照すると、相手側ハウジング４１０は、２つの仕切壁４６０を有している。仕切壁４６０の夫々は、Ｙ方向と直交する平板形状を有しており、Ｚ方向に延びている。２つの仕切壁４６０は、ＸＺ平面について互いに鏡対称な形状を有している。仕切壁４６０は、Ｙ方向に並んでおり、Ｙ方向において相手側サブハウジング６００を挟んでいる。
【００３９】
図９及び図１３を参照すると、仕切壁４６０の夫々は、傾斜面４６２と、第１壁面（第１規制部）４７２と、第２壁面（第２規制部）４７４とを有している。即ち、相手側ハウジング４１０は、２つの傾斜面４６２と、２つの第１壁面４７２と、２つの第２壁面４７４とを有している。傾斜面４６２は、仕切壁４６０の上面（＋Ｚ側の面）のうち前側（−Ｘ側）の部位である。傾斜面４６２は、下方に傾斜しつつ前方（−Ｘ方向）に延びている。換言すれば、傾斜面４６２は、Ｚ方向と斜交している。第１壁面４７２は、仕切壁４６０の前面（−Ｘ側の面）であり、傾斜面４６２の前端からＺ方向に沿って下方に延びている。第２壁面４７４は、仕切壁４６０の後面（＋Ｘ側の面）であり、仕切壁４６０の上面の後端からＺ方向に沿って下方に延びている。
【００４０】
図１、図５及び図９を参照すると、相手側ハウジング４１０は、対向壁面（第２規制部）４８０を有している。対向壁面４８０は、保持部４１８の後面であり、ＸＹ平面において湾曲しつつ、Ｚ方向に沿って延びている。図９及び図１３を参照すると、対向壁面４８０は、Ｘ方向において、ガイド溝４５２を挟んで２つの第１壁面４７２と対向している。第１壁面４７２は、ガイド溝４５２を介して対向壁面４８０の後方に位置しており、且つ、Ｘ方向において、相手側サブハウジング６００の周壁部６２０の前面と同じ位置にある。従って、第１壁面４７２は、相手側検知端子７００の前方に位置している。一方、第２壁面４７４は、相手側検知端子７００の後方に位置している。ガイド溝４５２は、Ｚ方向に延び上方に開いた空間である。ガイド溝４５２は、Ｘ方向において２つの第１壁面４７２及び周壁部６２０の前面と対向壁面４８０との間に位置している。
【００４１】
図２を参照すると、コネクタ１００は、絶縁体からなるハウジング１１０と、金属製の電源端子２００と、絶縁体からなるサブハウジング３００と、金属製の検知端子３９０とを備えている。ハウジング１１０は、２つの側部１１２を有している。側部１１２は、ハウジング１１０のＹ方向両側に夫々位置している。側部１１２の夫々は、ＸＺ平面に沿って延びている。
【００４２】
図２及び図７を参照すると、ハウジング１１０には、２つの軸部（軸受）１２０と、２つのガイド凹部１３０とが形成されている。軸部１２０は、２つの側部１１２に夫々対応して設けられている。軸部１２０の夫々は、対応する側部１１２をＹ方向に貫通する孔（軸受）である。２つの軸部１２０は、Ｘ方向及びＺ方向において、互いに同じ位置にある。ガイド凹部１３０は、２つの側部１１２に夫々対応して設けられている。ガイド凹部１３０の夫々は、対応する側部１１２に形成されたＹ方向内側に凹んだ溝であり、ＸＺ平面において円弧形状を有している。２つのガイド凹部１３０は、Ｘ方向及びＺ方向において、互いに同じ位置にある。
【００４３】
図１、図７、図１１及び図１５を参照すると、軸部１２０と相手側軸部４２０とを組み合わせると、ハウジング１１０は、相手側ハウジング４１０に対して回転軸の周りに回転可能である。本実施の形態によれば、ハウジング１１０の軸部１２０が軸受であり、相手側ハウジング４１０の相手側軸部４２０が回転軸である。即ち、本実施の形態のハウジング１１０は、相手側軸部４２０を中心として回転移動可能である。但し、本発明は、これに限られず、軸部１２０が回転軸であり、相手側軸部４２０が軸受であってもよい。即ち、軸部１２０及び相手側軸部４２０の一方が回転軸であり、他方が軸受であればよい。
【００４４】
図７、図１１及び図１５を参照すると、ＸＺ平面におけるコネクタ１００の各部位の位置は、ハウジング１１０の回転移動に伴って変化する。詳しくは、ハウジング１１０は、図７に示す開位置と図１５に示す閉位置との間を、図１１に示す中間位置を経由して回転移動する。以下の説明において、ＸＺ平面におけるコネクタ１００の各部位の位置を示す場合、必要に応じて「径方向」及び「円周方向」を使用する。以下の説明において、径方向は、ＸＺ平面上において軸部１２０（図１参照）を中心に位置する仮想的な円（仮想円）の半径に沿った方向であり、円周方向は、仮想円の円周に沿った方向である。換言すれば、径方向及び円周方向の夫々は、ハウジング１１０の回転軸（軸部１２０）を中心とする方向である。径方向及び円周方向の夫々は、Ｙ方向と直交している。また、径方向と円周方向とは、互いに直交している。
【００４５】
図２を参照すると、ハウジング１１０は、基部１１６と、収容部１４０とを有している。基部１１６は、径方向において、軸部１２０から最も離れた部位である。基部１１６は、径方向と直交する平面に沿って延びている。収容部１４０は、径方向において、ハウジング１１０の軸部１２０と基部１１６との間に位置している。図２、図７及び図１０を参照すると、収容部１４０は、第１壁部１４２と、第２壁部１４４と、２つの第３壁部１４８とを有している。図１０を参照すると、第１壁部１４２は、径方向及び軸方向（Ｙ方向）によって規定される平面に沿って延びている。第２壁部１４４は、収容部１４０のうち、径方向において軸部１２０から最も離れている。第２壁部１４４は、径方向と直交する平面に沿って延びている。第３壁部１４８は、収容部１４０のＹ方向両側に夫々位置している。第３壁部１４８の夫々は、ＸＺ平面に沿って延びている。
【００４６】
図７及び図１４を参照すると、ハウジング１１０には、２つのサブ軸受１５０が形成されている。サブ軸受１５０は、２つの第３壁部１４８に夫々対応して設けられている。２つのサブ軸受１５０は、Ｘ方向及びＺ方向において、互いに同じ位置にある。本実施の形態においてサブ軸受１５０の夫々は、対応する第３壁部１４８をＹ方向に貫通する孔である。但し、本発明は、これに限られない。例えば、サブ軸受１５０の夫々は、対応する第３壁部１４８の内壁面に形成された凹部であってもよい。
【００４７】
図１０を参照すると、ハウジング１１０は、第１移動規制部１６２と、第２移動規制部１６４とを有している。第１移動規制部１６２は、収容部１４０の第１壁部１４２の内壁面である。第１移動規制部１６２は、径方向及び軸方向（Ｙ方向）によって規定される平面に沿って延びている。第２移動規制部１６４は、収容部１４０の第２壁部１４４の内壁面である。第２移動規制部１６４は、径方向と直交する平面に沿って延びている。第１移動規制部１６２は、第２移動規制部１６４と直交する平面上に位置している。また、第１移動規制部１６２は、径方向において、第２移動規制部１６４よりも軸部１２０に近い位置にある。
【００４８】
図２を参照すると、電源端子２００は、連結部２１０と、２つのブレード部２２０とを有している。ブレード部２２０の夫々は、ＸＺ平面に沿って延びている。連結部２１０は、２つのブレード部２２０をＹ方向において互いに連結している。図２及び図１０を参照すると、電源端子２００は、ブレード部２２０がＹ方向において並ぶようにして、ハウジング１１０に保持されている。電源端子２００は、ハウジング１１０に固定されており、ハウジング１１０に対して相対移動できない。
【００４９】
図２から図４までを参照すると、サブハウジング３００は、２つの側板部３４０を有している。側板部３４０は、サブハウジング３００のＹ方向両側に夫々位置している。側板部３４０の夫々は、ＸＺ平面に沿って延びている。サブハウジング３００には、２つのサブ回転軸３５０が形成されている。サブ回転軸３５０の夫々は、軸方向（Ｙ方向）と平行に延びる回転軸である。サブ回転軸３５０は、２つの側板部３４０に夫々対応して設けられており、Ｘ方向及びＺ方向において、互いに同じ位置にある。サブ回転軸３５０の夫々は、ＸＺ平面において円形状を有しており、対応する側板部３４０からＹ方向外側に突出している。
【００５０】
図７及び図１０を参照すると、サブハウジング３００は、ハウジング１１０の収容部１４０の内部に部分的に収容されている。詳しくは、サブハウジング３００のサブ回転軸３５０は、収容部１４０のサブ軸受１５０に夫々挿入されており、これにより２つの側板部３４０は、Ｙ方向において、収容部１４０の２つの第３壁部１４８の間に挟まれており、第３壁部１４８からＹ方向内側に向かうバネ力を受けている。サブハウジング３００は、上述したバネ力を除き、サブ軸受１５０のみによってハウジング１１０に支持されている。加えて、ＸＺ平面において、サブハウジング３００と収容部１４０の内壁面との間には隙間があいている。このため、サブハウジング３００は、ハウジング１１０に対して、ある程度移動可能である。即ち、サブ軸受１５０は、サブハウジング３００がＸＺ平面に沿って移動可能となるようにして、サブ回転軸３５０を夫々受容している。
【００５１】
図１４を参照すると、サブ軸受１５０は、径方向において長く延びる長孔形状を有している。このため、円形状のサブ回転軸３５０は、サブ軸受１５０の内部を径方向に沿って移動可能であり、且つ、サブ軸受１５０の内部を時計回り及び反時計回りに回転可能である。従って、サブハウジング３００は、ハウジング１１０に対して相対的に、サブ軸受１５０に沿ってスライド可能であり、且つ、サブ回転軸３５０の周りに両方向に回転可能である。
【００５２】
上述したように、サブハウジング３００は、ハウジング１１０に対して相対的に移動可能となるようにして、ハウジング１１０に支持されている。特に、本実施の形態のサブハウジング３００は、ＸＺ平面に沿って揺動可能である一方、Ｙ方向において殆ど移動しない。但し、本発明は、これに限られない。例えば、サブハウジング３００は、サブ軸受１５０に沿ったスライドのみ可能であってもよい。この場合、サブ軸受１５０は、径方向に沿って本実施の形態よりも長く延びていてもよく、ＸＺ平面におけるサブ回転軸３５０の形状は、丸みを帯びた矩形であってもよい。また、サブハウジング３００は、ＸＺ平面に沿って移動可能であると共に、Ｙ方向において多少移動可能であってもよい。
【００５３】
図１０、図１３及び図１７を参照すると、ＸＺ平面におけるサブハウジング３００の各部位の位置は、ハウジング１１０が閉位置（図１７に示される位置）にあるときを除き、サブハウジング３００のハウジング１１０に対する相対的な移動に応じて変化する。以下、まず、図２から図４までを参照しつつ、ハウジング１１０が閉位置にあるときのサブハウジング３００及び検知端子３９０の構造を説明し、次に、径方向及び円周方向を使用しつつ、検知端子３９０を保持し且つハウジング１１０に支持されたサブハウジング３００の構造を説明する。
【００５４】
図２から図４までを参照すると、サブハウジング３００は、角筒状部３１０と、端子保持部３６０とを有している。図示された状態において、角筒状部３１０は、Ｚ方向に延びる矩形角筒形状を有しており、下端において開口している。端子保持部３６０は、角筒状部３１０の上端近傍に位置しており、ＸＹ平面において角筒状部３１０に囲まれている。図４を参照すると、端子保持部３６０には、保持孔３６２が形成されている。
【００５５】
図２から図４までを参照すると、サブハウジング３００は、側板部３４０に加えて、前板部（被ガイド部）３２０と、後板部３３０とを有している。本実施の形態において、前板部３２０、後板部３３０及び側板部３４０の夫々は、角筒状部３１０の一部である。詳しくは、図示された状態において、前板部３２０は、角筒状部３１０の前側の壁であり、後板部３３０は、角筒状部３１０の後側（＋Ｘ側）の壁である。側板部３４０は、角筒状部３１０の２つの側壁である。但し、本発明は、これに限られない。例えば、サブハウジング３００は、側板部３４０を有していなくてもよい。この場合、サブ回転軸３５０は、端子保持部３６０に設けてもよい。
【００５６】
図２及び図３を参照すると、サブハウジング３００は、２つの第１移動被規制部３４２と、第１移動被規制部３４４と、第２移動被規制部３４６とを有している。第１移動被規制部３４２は、２つの側板部３４０に夫々対応して設けられており、Ｘ方向及びＺ方向において、互いに同じ位置にある。図示された状態において、第１移動被規制部３４２の夫々は、対応する側板部３４０の上縁のうち前側に位置する部位であり、Ｘ方向及びＺ方向の双方と斜交している。より具体的には、第１移動被規制部３４２の夫々は、下方に傾斜しつつ前方に延びている。第１移動被規制部３４４は、後板部３３０の後面のうち上端近傍の部位であり、Ｘ方向及びＺ方向の双方と斜交している。より具体的には、第１移動被規制部３４４は、下方に傾斜しつつ後方（−Ｘ方向）に延びている。第２移動被規制部３４６は、後板部３３０の後面のうち第１移動被規制部３４４よりも下側の部位であり、Ｘ方向と直交している。
【００５７】
図２に示されるように、検知端子３９０は、被保持部３９２と、２つの接触部３９４とを有している。被保持部３９２は、２つの接触部３９４をＹ方向において互いに連結している。図示された状態において、接触部３９４の夫々は、被保持部３９２から直線状に下方に延びている。
【００５８】
図２及び図４を参照すると、被保持部３９２は、サブハウジング３００の保持孔３６２に圧入されて保持されている。即ち、検知端子３９０は、接触部３９４がＹ方向において並ぶようにして、サブハウジング３００に保持されている。検知端子３９０は、サブハウジング３００に固定されており、サブハウジング３００に対して相対移動できない。
【００５９】
図１０及び図１３を参照すると、サブハウジング３００がハウジング１１０に支持された状態において、ハウジング１１０がどの位置にあるときにも、角筒状部３１０の前板部３２０は、径方向において、検知端子３９０や角筒状部３１０の他の部位よりも軸部１２０に近い位置にある。一方、角筒状部３１０の後板部３３０は、径方向において、検知端子３９０や角筒状部３１０の他の部位よりも軸部１２０から離れた位置にある。
【００６０】
図１０を参照すると、サブハウジング３００の第１移動被規制部３４２は、第１移動被規制部３４４及び第２移動被規制部３４６の夫々と交差する平面上に位置している。また、第１移動被規制部３４２は、径方向において、第１移動被規制部３４４及び第２移動被規制部３４６よりも軸部１２０に近い位置にある。
【００６１】
以下、コネクタ１００を相手側コネクタ４００と嵌合させる際の嵌合操作及びコネクタ１００を相手側コネクタ４００から抜去する際の抜去操作について説明する。
【００６２】
図７、図１１及び図１５を参照すると、前述したように、ハウジング１１０は、軸部１２０と相手側軸部４２０とを組み合わせることで、回転軸（相手側軸部４２０）を中心にして、開位置（図７に示される位置）と閉位置（図１１に示される位置）との間を中間位置（図１５に示される位置）を経由して回転可能である。以下の説明において、ハウジング１１０が開位置にあるときのコネクタ１００の状態を「非接続状態」といい、ハウジング１１０が閉位置にあるときのコネクタ１００の状態を「接続状態」という。また、ハウジング１１０が中間位置にあるときのコネクタ１００の状態を「中間状態」という。ハウジング１１０を相手側ハウジング４１０に対して回転させると、コネクタ１００は、非接続状態と接続状態との間を、中間状態を経由して遷移する。
【００６３】
以下の説明において、ＸＺ平面上におけるコネクタ装置１０の各部位の位置等を示す場合、必要に応じて相手側軸部４２０を中心とする径方向（ＸＺ平面上において相手側軸部４２０を中心に位置する仮想円の半径に沿った方向）及び円周方向（ＸＺ平面上において仮想円の円周に沿った方向）を使用する。加えて、以下の説明における「時計回り」及び「反時計回り」は、＋Ｙ方向に沿ってコネクタ装置１０を見たときのコネクタ１００の回転方向を示している。
【００６４】
図１及び図７から図１０までを参照すると、コネクタ１００は、相手側コネクタ４００に対して立った状態で、−Ｚ方向に沿って相手側コネクタ４００の上方から相手側コネクタ４００に対して取り付けられる。これにより、コネクタ１００は、図１に示される相手側コネクタ４００から離れた状態（分離状態）から、図７から図１０までに示される非接続状態に遷移して、相手側コネクタ４００と部分的に嵌合する。
【００６５】
図１０に示されるように、コネクタ１００が非接続状態にあるとき、電源端子２００は、相手側電源端子５００に接続されていない。このとき、図１０及び図１３から理解されるように、検知端子３９０は、相手側検知端子７００に接続されていない。
【００６６】
図７及び図１１から図１４までを参照すると、ハウジング１１０を、相手側軸部４２０を中心に円周方向に沿って時計回りに回転させると、被ガイド突起４３０は、ガイド凹部１３０の内部を移動し、コネクタ１００のうち軸部１２０と基部１１６との間に位置する部位は、時計回りに移動する。この結果、コネクタ１００は、図７に示される非接続状態から、図１１から図１４までに示される中間状態に遷移し、コネクタ装置１０に設けられた一時的規制機構１２（図１３参照）によって、中間状態に一時的に維持される。
【００６７】
図１３を参照すると、コネクタ１００が中間状態にあるとき、電源端子２００は、２つの相手側電源端子５００に接続されており、これにより相手側電源端子５００は、互いに接続されている。詳しくは、電源端子２００のブレード部２２０の夫々は、相手側電源端子５００の本体部５１０内部に挿入されており、Ｙ方向において接点部５２０に挟み込まれつつ接点部５２０と接触している。このとき、検知端子３９０は、相手側検知端子７００に接続されておらず、このため、２つの信号線８９４（図１８参照）は、互いに接続されていない。この結果、電源システム（図示せず）の制御により、バスバー８９２（図１参照）には、電流が流れていない。
【００６８】
図１１及び図１５から図１８までを参照すると、一時的規制機構１２（図１３参照）による規制を解除して、ハウジング１１０を円周方向に沿って時計回りに回転させると、コネクタ１００は、図１１に示される中間状態から、図１５から図１８までに示される接続状態に遷移する。図１５及び図１７を参照すると、コネクタ１００が接続状態にあるとき、ハウジング１１０は、閉位置に位置しており、更に時計回りに回転することができない。このとき、コネクタ装置１０に設けられた維持機構１４（図１７参照）は、ハウジング１１０の反時計回りの回転を防止して、コネクタ１００を、接続状態に維持している。
【００６９】
図１７を参照すると、コネクタ１００が接続状態にあるとき、電源端子２００は、２つの相手側電源端子５００に接続されている。図１９を参照すると、このとき、検知端子３９０の接触部３９４は、Ｚ方向に沿って開口部６３２を夫々通過して、相手側検知端子７００の相手側接触部７１０と夫々接触している。即ち、検知端子３９０は、２つの相手側検知端子７００に接続されており、これにより相手側検知端子７００は、互いに接続されている。
【００７０】
図１７を参照すると、接続状態において、サブハウジング３００は、相手側サブハウジング６００と完全に嵌合しており、これにより、コネクタ１００は、相手側コネクタ４００と完全に嵌合している。このとき、電源システム（図示せず）の制御により、バスバー８９２（図１参照）に電流が流れる。即ち、コネクタ１００が相手側コネクタ４００と完全に嵌合すると、コネクタ装置１０が電源システムとモーター（図示せず）との間を接続して、電源システムから供給された電流がモーターに供給される。
【００７１】
図１０、図１３及び図１７を参照すると、維持機構１４（図１７参照）による維持を解除して、ハウジング１１０を円周方向に沿って反時計回りに回転させると、コネクタ１００は、図１７に示される接続状態から、図１３に示される中間状態を経由して、図１０に示される非接続状態に遷移する。
【００７２】
図１３及び図１７を参照すると、コネクタ１００が接続状態から中間状態に遷移したとき、電源端子２００は、相手側電源端子５００に接続され続けている。一方、この遷移の過程において、検知端子３９０と相手側検知端子７００との接続が解除される。この結果、電源システム（図示せず）の制御により、バスバー８９２（図１参照）への電流の供給が停止される。図１０及び図１３を参照すると、コネクタ１００が中間状態から非接続状態に遷移する過程において、電源端子２００と相手側電源端子５００との接続が解除される。図１０を参照すると、コネクタ１００が非接続状態にあるとき、コネクタ１００は、上方に移動可能であり、相手側コネクタ４００から抜去可能である。
【００７３】
以上に説明したように、本実施の形態によるコネクタ１００は、非接続状態と接続状態との間を、中間状態を経由して遷移する。図１３を参照すると、本実施の形態においては、コネクタ１００が中間状態に一時的に維持された状態を中間状態と規定する。但し、中間状態は、コネクタ１００が中間状態に一時的に維持された状態に限られない。図１０及び図１３を参照すると、電源端子２００は、ハウジング１１０が図１３の位置まで回転したとき、相手側電源端子５００と既に接続している。即ち、電源端子２００は、ハウジング１１０が図１０の開位置から図１３の中間位置まで回転する途中において、相手側電源端子５００と接続開始する。例えば、電源端子２００が相手側電源端子５００と接続開始する時点のコネクタ１００の状態を中間状態と規定してもよい。また、図１３及び図１７を参照すると、一時的規制機構１２や維持機構１４は、必要に応じて設ければよい。
【００７４】
図１３を参照すると、相手側ハウジング４１０は、ガイド部４５０を有している。後述するように、ガイド部４５０は、回転移動するハウジング１１０に対して相対的に移動可能なサブハウジング３００をガイドして、サブハウジング３００をＺ方向に沿って直線的に移動させる。図１０及び図１４を参照すると、ハウジング１１０は、移動規制部１６０を有している。移動規制部１６０は、サブハウジング３００の移動範囲を規制する。以下、まず、移動規制部１６０について説明し、次に、ガイド部４５０について説明する。
【００７５】
図１０を参照すると、ハウジング１１０の移動規制部１６０は、前述した第１移動規制部１６２と、第２移動規制部１６４とを有している。例えば、ハウジング１１０及びサブハウジング３００が図１０に示される位置にあるとき、第１移動規制部１６２は、円周方向において、僅かな隙間をあけて第１移動被規制部３４２と対向している。このとき、第２移動規制部１６４は、径方向において、僅かな隙間をあけて第１移動被規制部３４４及び第２移動被規制部３４６と対向している。
【００７６】
図１０及び図１３を参照すると、第１移動規制部１６２は、コネクタ１００が非接続状態と中間状態との間にあるとき、サブ回転軸３５０（図１４参照）を中心とする第１方向（図１０において時計回り方向）における第１移動被規制部３４２の回転を規制する。加えて、第２移動規制部１６４も、第１方向における第１移動被規制部３４４の回転を規制する。より具体的には、サブハウジング３００は、第１限界位置まで、サブ回転軸３５０を中心として第１方向に回転可能である。第１限界位置は、第１移動被規制部３４２が第１移動規制部１６２と接触するか、又は、第１移動被規制部３４４が第２移動規制部１６４と接触する位置である。一方、サブハウジング３００は、第１限界位置を越えて回転できない。
【００７７】
第２移動規制部１６４は、コネクタ１００が非接続状態と中間状態との間にあるとき、サブ回転軸３５０（図１４参照）を中心とする第２方向（図１０において反時計回り方向）における第２移動被規制部３４６の回転を規制する。より具体的には、サブハウジング３００は、第２移動被規制部３４６が第２移動規制部１６４と接触する位置である第２限界位置まで、サブ回転軸３５０を中心として第２方向に回転可能である。一方、サブハウジング３００は、第２限界位置を越えて回転できない。
【００７８】
上述したように、本実施の形態において、第１移動規制部１６２及び第２移動規制部１６４は、ＸＺ平面と平行な第１方向におけるサブハウジング３００の移動を規制する。加えて、第２移動規制部１６４は、ＸＺ平面と平行な第２方向であって第１方向と異なる第２方向におけるサブハウジング３００の移動を規制する。本実施の形態において、第１方向は、サブ回転軸３５０（図１４参照）を中心とするサブハウジング３００の回転方向のうちの一方であり、第２方向は、サブ回転軸３５０を中心とするサブハウジング３００の回転方向のうちの他方である。
【００７９】
本実施の形態において、移動規制部１６０（第１移動規制部１６２及び第２移動規制部１６４）は、サブハウジング３００が回転移動可能な範囲を規定する。また、図１４を参照すると、移動規制部１６０は、サブ軸受１５０を有している。サブ軸受１５０は、径方向におけるサブハウジング３００のスライド可能な範囲を規定する。サブハウジング３００は、ＸＺ平面において、移動規制部１６０によって規定された移動可能範囲内を移動可能である一方、移動可能範囲内を超えて移動できない。
【００８０】
図１３及び図１４を参照すると、本実施の形態による移動規制部１６０は、第１移動規制部１６２、第２移動規制部１６４及びサブ軸受１５０から構成されている。但し、本発明は、これに限られず、移動規制部１６０は、様々に構成可能である。例えば、第２移動規制部１６４は、径方向において軸部１２０から離れるようなサブハウジング３００のスライドを規制してもよい。更に、ハウジング１１０は、サブ軸受１５０の他に、径方向において軸部１２０に近づくようなサブハウジング３００のスライドを規制する移動規制部を有していてもよい。
【００８１】
図１３を参照すると、相手側ハウジング４１０のガイド部４５０は、傾斜面４６２と、第１規制部（第１壁面）４７２と、第２規制部（対向壁面）４８０とを有している。前板部３２０は、ガイド部４５０にガイドされる被ガイド部３２０として機能する。上述した移動規制部１６０は、サブハウジング３００がハウジング１１０に対して移動可能な範囲を、ガイド部４５０が被ガイド部３２０をガイドできる範囲に規制する。
【００８２】
図２０（Ａ）を参照すると、サブハウジング３００が第２限界位置近傍に位置している場合、コネクタ１００が接続状態に遷移する際、サブハウジング３００の前板部３２０の先端（図１３において下端）は、傾斜面４６２に接触する。傾斜面４６２は、ガイド溝４５２に向かって下方に傾斜している。従って、ハウジング１１０を時計回りに回転し続けると、前板部３２０は、ガイド溝４５２までガイドされる。一方、図２０（Ｂ）を参照すると、サブハウジング３００が第１限界位置近傍に位置している場合、コネクタ１００が接続状態に遷移する際、サブハウジング３００の前板部３２０は、対向壁面４８０に接触し、ガイド溝４５２までガイドされる。
【００８３】
図１３、図２０（Ａ）及び図２０（Ｂ）を参照すると、本実施の形態において、コネクタ１００が接続状態に遷移する際に、前板部３２０は、傾斜面４６２又は対向壁面４８０に接触してガイドされる。特に、本実施の形態の前板部３２０は、コネクタ１００が非接続状態から中間状態まで遷移する過程で、傾斜面４６２又は対向壁面４８０に接触する。但し、本発明は、これに限られない。例えば、前板部３２０は、コネクタ１００が中間状態から接続状態まで遷移する過程で、傾斜面４６２又は対向壁面４８０に接触してもよい。また、前板部３２０は、保持部４１８の傾斜した上面と接触してガイド溝４５２までガイドされてもよい。更に、前板部３２０以外の部位が被ガイド部として機能してもよい。例えば、後板部３３０を被ガイド部として機能させてもよい。
【００８４】
図１３及び図１７を参照すると、ハウジング１１０を時計回りに回転し続けると、ガイド溝４５２までガイドされた前板部３２０は、ガイド溝４５２の内部を下方に移動する。即ち、コネクタ１００が中間状態から接続状態に遷移する際、前板部３２０は、仕切壁４６０の第１壁面４７２と保持部４１８の対向壁面４８０との間にガイドされる。本実施の形態において、第１壁面４７２は、第１規制部４７２として機能し、コネクタ１００が中間状態から接続状態に遷移する際に、サブハウジング３００の後方に向かう移動を規制する。一方、対向壁面４８０は、第２規制部４８０として機能し、コネクタ１００が中間状態から接続状態に遷移する際に、サブハウジング３００の前方に向かう移動を規制する。
【００８５】
本実施の形態において、第１規制部４７２及び第２規制部４８０は、主としてコネクタ１００が中間状態から接続状態に遷移する過程において、被ガイド部３２０のＸ方向の移動を規制する。但し、本発明は、これに限られない。例えば、第１規制部４７２及び第２規制部４８０は、コネクタ１００が非接続状態から中間状態に遷移する過程においても被ガイド部３２０のＸ方向の移動を規制してもよい。また、第１規制部及び第２規制部の夫々は、相手側軸部４２０の後方に位置している限り、第１壁面４７２や対向壁面４８０以外の部位であってもよい。
【００８６】
図１３を参照すると、例えば、仕切壁４６０の第２壁面４７４が第２規制部４７４として機能してもよい。即ち、ガイド部４５０は、第２規制部４８０に代えて、又は、第２規制部４８０に加えて、第２規制部４７４を有していてもよい。この場合、第２壁面４７４は、コネクタ１００が接続状態に遷移する際、サブハウジング３００の後板部３３０の前方に向かう移動を規制すればよい。但し、第２壁面４７４によって後板部３３０の移動を規制する場合、第２壁面４７４のうちＺ方向において相手側サブハウジング６００よりも上に位置する部位（上側部位）は、Ｘ方向において相手側サブハウジング６００の後面まで延びる斜面であることが好ましい。換言すれば、第２壁面４７４の上側部位の下端のＸ方向における位置は、相手側サブハウジング６００の後面の上端のＸ方向における位置と同じであることが好ましい。
【００８７】
コネクタ１００が中間状態から接続状態に遷移する際にガイド部４５０（第２壁面４７４及び対向壁面４８０）が被ガイド部３２０を上述のようにガイドすると、検知端子３９０の先端（図１３において接触部３９４の下端）は、サブハウジング３００のカバー部６３０に達する前に、Ｚ方向において開口部６３２と対向する。特に、検知端子３９０の先端は、Ｚ方向において開口部６３２の上端と同じ位置に到達したとき、Ｚ方向において開口部６３２と対向する。このとき、検知端子３９０の先端は、Ｘ方向及びＹ方向の夫々において、相手側検知端子７００と殆ど同じ位置にある。本実施の形態において、検知端子３９０の先端は、コネクタ１００が中間状態に遷移した時点においても、開口部６３２と概ね対向している。但し、本発明は、これに限られない。検知端子３９０の先端は、コネクタ１００が中間状態から接続状態に遷移する過程においてのみ、開口部６３２と対向してもよい。
【００８８】
サブハウジング３００の角筒状部３１０は、コネクタ１００が接続状態まで遷移する際のハウジング１１０の回転方向（即ち、時計回りの回転方向）において、相手側検知端子７００に向かって開口している。図１３及び図１７を参照すると、図１３に示されるハウジング１１０を時計回りに回転し続けると、角筒状部３１０は、相手側サブハウジング６００及び仕切壁４６０をＸＹ平面において囲みつつ、Ｚ方向に沿って直線的に下方に移動する。即ち、このとき、相手側サブハウジング６００及び仕切壁４６０全体が、角筒状部３１０をガイドして、ハウジング１１０の回転移動を、サブハウジング３００の直線移動に変換する。
【００８９】
図１３、図１７及び図１８から理解されるように、ガイド部４５０による被ガイド部３２０のガイドが進行し、サブハウジング３００の角筒状部３１０が相手側サブハウジング６００及び仕切壁４６０をＸＹ平面において囲んだ後には、サブハウジング３００は、相手側サブハウジング６００に対して相対的に、Ｚ方向に沿って下方に移動する一方でＸ方向及びＹ方向には殆ど移動しない。一方、サブハウジング３００は、ハウジング１１０に対して相対的に、Ｘ方向に沿って僅かに移動する。
【００９０】
図１９を参照すると、このとき、検知端子３９０の先端は、開口部６３２と対向しているため、開口部６３２の斜面と突き当たったとしても、斜面によって保持孔６１０に向かってガイドされる。従って、検知端子３９０の接触部３９４は、相手側サブハウジング６００に突き当たって座屈することなく、相手側検知端子７００の相手側接触部７１０に向かって直線的に下方に移動して、相手側接触部７１０と接触する。
【００９１】
図１３を参照すると、以上に説明したように、コネクタ１００が中間状態から接続状態に遷移する際、ガイド部４５０は、被ガイド部３２０をガイドしてサブハウジング３００をハウジング１１０に対して相対的に移動させる。この結果、検知端子３９０は、Ｚ方向に沿って下方に移動して相手側検知端子７００に接続される。即ち、本発明によれば、サブハウジング３００を、カム機構を使用せずに、相手側ハウジング４１０に対して移動させることができる。
【００９２】
上述した本実施の形態は、既に説明した変形例に加えて、更に様々に変形可能である。
【００９３】
例えば、図１９を参照すると、本実施の形態において、検知端子３９０は、ピン形状の２つの接触部３９４を有するピン端子であり、相手側検知端子７００は、ソケット端子である。但し、本発明は、これに限られず、検知端子３９０は、ソケット端子であってもよく、相手側検知端子７００は、ピン端子であってもよい。
【符号の説明】
【００９４】
１０            コネクタ装置
１２            一時的規制機構
１４            維持機構
１００          コネクタ
１１０          ハウジング
１１２          側部
１１６          基部
１２０          軸部（軸受）
１３０          ガイド凹部
１４０          収容部
１４２          第１壁部
１４４          第２壁部
１４８          第３壁部
１５０          サブ軸受
１６０          移動規制部
１６２          第１移動規制部
１６４          第２移動規制部
２００          電源端子
２１０          連結部
２２０          ブレード部
３００          サブハウジング
３１０          角筒状部
３２０          前板部（被ガイド部）
３３０          後板部
３４０          側板部
３４２，３４４  第１移動被規制部
３４６          第２移動被規制部
３５０          サブ回転軸
３６０          端子保持部
３６２          保持孔
３９０          検知端子
３９２          被保持部
３９４          接触部
４００          相手側コネクタ
４１０          相手側ハウジング
４１２          側壁部
４１６          後端部
４１８          保持部
４２０          相手側軸部（回転軸）
４３０          被ガイド突起
４４０          受容部
４５０          ガイド部
４５２          ガイド溝
４６０          仕切壁
４６２          傾斜面
４７２          第１壁面（第１規制部）
４７４          第２壁面（第２規制部）
４８０          対向壁面（第２規制部）
４９０          フランジ
５００          相手側電源端子
５１０          本体部
５２０          接点部
５９０          接続部
６００          相手側サブハウジング
６１０          保持孔
６２０          周壁部
６３０          カバー部
６３２          開口部
７００          相手側検知端子
７１０          相手側接触部
８１０          ハトメ
８２０          ナット
８９２          バスバー
８９４          信号線
８９８          ネジ
【図１】
2019036485.tif 000003
【図２】
2019036485.tif 000004
【図３】
2019036485.tif 000005
【図４】
2019036485.tif 000006
【図５】
2019036485.tif 000007
【図６】
2019036485.tif 000008
【図７】
2019036485.tif 000009
【図８】
2019036485.tif 000010
【図９】
2019036485.tif 000011
【図１０】
2019036485.tif 000012
【図１１】
2019036485.tif 000013
【図１２】
2019036485.tif 000014
【図１３】
2019036485.tif 000015
【図１４】
2019036485.tif 000016
【図１５】
2019036485.tif 000017
【図１６】
2019036485.tif 000018
【図１７】
2019036485.tif 000019
【図１８】
2019036485.tif 000020
【図１９】
2019036485.tif 000021
【図２０】
2019036485.tif 000022
【図２１】
2019036485.tif 000023